(57)【特許請求の範囲】
【請求項１】
洗浄用具本体と前記洗浄用具本体の基部に取り付けられるシャワーホース接続部とを備え、前記洗浄用具本体は一端が開口した細長状の中空筒形からなり、前記中空筒形を構成する外側壁と内側壁の間には隙間が設けられ、前記隙間に前記シャワーホース接続部の開口に連通する通水路が形成され、前記内側壁に多数の流出孔が設けられていることを特徴とする介護用男性局部洗浄用具。
【請求項２】
前記中空筒形の形状を開口端側が大径となる円錐台状に形成し、前記中空筒形を構成する外側壁の材質が透明の樹脂素材からなることを特徴とする請求項１に記載の介護用男性局部洗浄用具。
【請求項３】
前記流出孔は前記内側壁の側面と底面の全体に設けられ、前記側面の前記流出孔は湯水を内部に略均等に吐出できるように配置されていることを特徴とする請求項１又は請求項２に記載の介護用男性局部洗浄用具。
【発明の詳細な説明】
【技術分野】
【０００１】
本発明は、介護用男性局部洗浄用具に関するものである。
【背景技術】
【０００２】
従来の介護用洗浄用具については、例えば特開平１１−２９０４１７号公報（特許文献１）には、女性介護者が一人であっても、簡単に高齢者等の局部を簡易入浴的に洗浄することができることを目的とし、洗浄容器、制御部を内蔵した洗浄器本体、洗浄水収納容器との組合せから成り、洗浄容器は、介護を必要とする高齢者が寝たきり状態で該高齢者の頭部を支持することができる頭支持部並びに少なくとも該高齢者の局部が入込む洗浄水収納凹所を有する横長ソファー状に形成され、また洗浄器本体の内装管の一端部側には洗浄水収納容器の洗浄水内に吸上げポンプ付き先端部が入れられた吸上げ用ホースの後端部が連結され、一方、内装管の他端部側には洗浄容器に支持された状態の高齢者の局部に向かって洗浄水を放出するシャワーヘッドを有する供給部材が連結される「人体の局部洗浄装置」が提案されている。
【０００３】
また、実用新案登録第３１３０４８３号公報（特許文献２）には、被介護者の洗浄作業、及び、温水、排水、排泄物の処理などが容易であり、介護作業者の作業を軽減することを目的とし、装置本体と、装置本体から延在した温水チューブと吸引ホースとの先端部に着脱自在に装着されるヘッド（ボディ用シャワーヘッド、頭髪用シャワーヘッド、採尿・洗浄用カップ型ヘッド、糞尿排出・洗浄用カップ型ヘッド）からなる「介護用温水洗浄装置」が提案されている。
【０００４】
また、実用新案登録第３０６７５６４号公報（特許文献３）には、要介護老人、身体障害者等の身体とともに肛門部およびその周辺部分をも同時に洗浄するシャワーを提供することを目的とし、座板を有する腰かけ部と背あて部からなる椅子において、温水をほぼ下向きに放射すべき多数のシャワーノズルを有する温水管を上記背あて部から使用者の左右両肩の上位に延長し、上記座板に、使用者の少なくとも肛門およびその周辺部に対応する広さの開口を形成すると共に、上記開口の下位に、温水を上記開口を経てほぼ上方へ放射すべき多数のシャワーノズルを有する下部温水管を配置し、上記各温水管を、該温水管に温水を圧送すべき温水器にそれぞれ接続した「シャワー施用椅子」が提案されている。
【０００５】
一方、従来の女性局部洗浄用具については、実用新案登録第３１３１５１７号公報（特許文献４）には、既存のシャワーヘッドに簡単に取り付けることができ、使い捨て洗浄ノズルは、安価に製造供給ができ、廃棄の際には、有害ゴミとならず、原形を止めずに廃棄でき、生体にやさしい水質・水圧で、安全で手軽な膣内洗浄ができる汎用シャワーヘッド装着使い捨て洗浄ノズルを持つ局所洗浄器を得ることを目的とし、局所洗浄器の各部を集水カバー、使い捨て洗浄ノズル、使い捨て固定バンド、使い捨て浄水パックに分離し、使い捨て洗浄ノズルの機能と形状を突き詰め、簡単な成形形状で安価に製造でき、柔らかな水流での洗浄を可能にする汎用シャワーヘッド装着使い捨て洗浄ノズルを持つ局所洗浄器とした「汎用シャワーヘッド装着使い捨て洗浄ノズルを持つ局所洗浄器」が提案されている。
【０００６】
また、特開２００５−１１０７４７号公報（特許文献５）には、通常のシャワーヘッドに直接取り付けて使用することができる携帯可能なシャワー取付用局部洗浄具を提供することを目的とし、シャワーヘッドを挿入する開口部、該シャワーヘッドを包み込む柔軟な素材からなる装着部、および先端部に取り付けた洗浄液の噴出口を複数有するノズルからなる「シャワー取付用局部洗浄具」、該装着部とノズルとの間に交換可能なろ過ユニットを設けて、洗浄液をさらに清浄にすることができる「シャワー取付用局部洗浄具」が提案されている。
【先行技術文献】
【特許文献】
【０００７】
【特許文献１】特開平１１−２９０４１７号公報
【特許文献２】実用新案登録第３１３０４８３号公報
【特許文献３】実用新案登録第３０６７５６４号公報
【特許文献４】実用新案登録第３１３１５１７号公報
【特許文献５】特開２００５−１１０７４７号公報
【発明の概要】
【発明が解決しようとする課題】
【０００８】
しかし、上述した従来の介護用洗浄用具では、男性局部を簡単に且つ効率的に洗浄できるものではなく、また装置としても大掛かりなものとなるので製造コストが嵩むという課題を有している。
そこで、本発明は、既存のシャワーホースの接続口に簡単に取り付けることができ、女性介護者であっても被介護者の男性高齢者等の局部を簡単に且つ効率的に洗浄することができる介護用男性局部洗浄用具を提供することを目的とする。
【課題を解決するための手段】
【０００９】
上記の課題を解決するために、請求項１に記載の発明は、洗浄用具本体と前記洗浄用具本体の基部に取り付けられるシャワーホース接続部とを備え、前記洗浄用具本体は一端が開口した細長状の中空筒形からなり、前記中空筒形を構成する外側壁と内側壁の間には隙間が設けられ、前記隙間に前記シャワーホース接続部の開口に連通する通水路が形成され、前記内側壁に多数の流出孔が設けられていることを特徴とする。
【００１０】
また、請求項２に記載の発明は、請求項１に記載の前記中空筒形の形状を開口端側が大径となる円錐台状に形成し、前記中空筒形を構成する外側壁の材質が透明の樹脂素材からなることを特徴とする。
【００１１】
また、請求項３に記載の発明は、請求項１又は請求項２に記載の前記流出孔は前記内側壁の側面と底面の全体に設けられ、前記側面の前記流出孔は湯水を内部に略均等に吐出できるように配置されていることを特徴とする。
【発明の効果】
【００１２】
以上のように、本発明にかかる介護用男性局部洗浄用具によれば、浴室などに設置されている既存のシャワーのシャワーホースのジョイントからシャワーヘッドを外して、洗浄用具本体に取り付けられたシャワーホース接続部に連結するだけで簡単に接続することができる。また、洗浄用具本体は一端が開口した細長状の中空筒形からなり、その中に男性局部を挿入した状態で内側壁の流出孔から湯水を吐出して洗浄するので、女性介護者であっても被介護者の男性高齢者等の局部を簡単に且つ効率的に洗浄することができる。さらに、中空筒形の形状を開口端側が大径となる円錐台状に形成することにより、使用時の取扱いが容易になる。また、中空筒形を構成する外側壁を透明樹脂素材から形成することにより、使用時に湯水流を目視でき流量の実体感を得ることができる。
【図面の簡単な説明】
【００１３】
【図１】本発明にかかる介護用男性局部洗浄用具の一例を示す正面図である。
【図２】図１に示す介護用男性局部洗浄用具の側面図である。
【図３】図１に示す介護用男性局部洗浄用具の平面図である。
【図４】図１に示す介護用男性局部洗浄用具の底面図である。
【図５】図１に示す介護用男性局部洗浄用具の断面図である。
【発明を実施するための形態】
【００１４】
以下、本発明の実施の一形態について図面を参酌しながら説明する。なお、本発明の介護用男性局部洗浄用具の各構成については、以下の実施例に限定されるものではなく、使用状況によって適宜変更することができる。
【００１５】
図１は本発明にかかる介護用男性局部洗浄用具の一例を示す正面図、図２は側面図、図３は平面図である。本発明の介護用男性局部洗浄用具は、洗浄用具本体１０の基部１１に既存のシャワーのシャワーホースのジョイントにネジで接続されるシャワーホース接続部２０が連結具３０（図５参照）によって取り付けられている。洗浄用具本体１０は、図１及び図２に示すように一端が開口した細長状の中空筒形からなり、この中空筒形を構成する外側壁１３と内側壁１４の間には隙間（所定間隔を有する空間）が設けられており、この隙間（所定間隔を有する空間）にシャワーホース接続部２０の開口に連通する通水路１５が形成される。
【００１６】
洗浄用具本体１０は、図１及び図２に示すように中空筒形の形状を開口端側が大径となる円錐台状に形成されている。また、中空筒形を構成する外側壁１３の材質は透明の樹脂素材からなる。
【００１７】
図４は、図１に示す介護用男性局部洗浄用具の底面図である。図４に示すように中空筒形を構成する内側壁１４の側面１７と底面１８には、多数の流出孔１６が設けられている。この流出孔１６は側面１７と底面１８の全体に設けられ、側面１７の流出孔１６は湯水を内部に略均等に吐出できるように配置されている。
【００１８】
次に、本実施形態の作用について説明する。図５は、図１に示す介護用男性局部洗浄用具の断面図である。本発明の介護用男性局部洗浄用具を使用する際は、浴室などに設置されている既存のシャワーのシャワーホースのジョイントからシャワーヘッドを外して、シャワーホース接続部２０のネジ部２１をジョイントにねじ込んで連結するだけで簡単に接続することができる。上述したように洗浄用具本体１０は一端が開口した細長状の中空筒形からなり、その中に男性局部を挿入した状態で内側壁１４の流出孔１６から湯水を吐出して洗浄する。
【００１９】
湯水の流れは、図５の矢印に示すようにシャワーホース接続部２０の開口から流入口１２を経由して洗浄用具本体１０の内部に流入し、さらに通水路１５を介して流出孔１６から略均等に吐出される。このため、女性介護者であっても被介護者の男性高齢者等の局部を簡単に且つ効率的に洗浄することができる。また、中空筒形の形状について開口端側が大径となる円錐台状に形成されているので、使用時の取扱いが容易になる。また、中空筒形を構成する外側壁１３を透明樹脂素材から形成することにより、使用時に湯水流を目視でき流量の実体感を得ることができる。
【符号の説明】
【００２０】
１０  洗浄用具本体
１１  基部
１２  流入口
１３  外側壁
１４  内側壁
１５  通水路
１６  流出孔
１７  側面
１８  底面
２０  シャワーホース接続部
２１  ネジ部
３０  連結具
【図１】
0005885306.tif 000002
【図２】
0005885306.tif 000003
【図３】
0005885306.tif 000004
【図４】
0005885306.tif 000005
【図５】
0005885306.tif 000006